【手続補正書】
【提出日】令和2年2月20日(2020.2.20)
【手続補正１】
【補正対象書類名】特許請求の範囲
【補正対象項目名】全文
【補正方法】変更
【補正の内容】
【特許請求の範囲】
【請求項１】
歯列矯正システムであって、
患者の上顎および下顎の少なくとも一方の歯のセットの中の少なくとも１つの歯を移動および整列させるための歯列矯正装置であって、
前記少なくとも１つの歯を受けるためのチャネルを備えたマウスピースであって、前記チャネルが少なくとも１つの壁部を備えた、マウスピース、
前記少なくとも１つの歯に対して力を印加し且つ前記少なくとも１つの歯を移動させるための力印加部材であって、前記マウスピースの前記チャネルの少なくとも１つの壁部内に取り付けられ、または部分的に埋設された力印加部材、
前記マウスピースの前記チャネルの少なくとも１つの壁部内に取り付けられ、または部分的に埋設された歯移動センサ部材であって、歯移動データ、歯位置データ、および歯識別データの中の少なくとも１つを取得するための歯移動センサ部材、および
前記歯移動センサ部材を用いて取得した前記歯移動データ、前記歯位置データ、および前記歯識別データの中の前記少なくとも１つから歯移動量および歯位置の少なくとも一方を計算するための歯移動モニタ、
を備える、歯列矯正装置と、
前記力印加部材に動作的に接続され且つ前記歯移動モニタとデータ通信状態にある電子制御コンソールであって、前記歯移動モニタから受信した前記歯移動データ、前記歯位置データ、および前記歯識別データの中の少なくとも１つに基づいて前記力印加部材の動作を制御する、電子制御コンソールと、
を備える、歯列矯正システム。
【請求項２】
前記力印加部材は、少なくとも１つの膨張可能要素を備える、請求項１に記載の歯列矯正システム。
【請求項３】
前記歯移動センサ部材は、少なくとも１つの力センサ、少なくとも１つの光学画像センサ、またはそれらの任意の組合せを備える、請求項１に記載の歯列矯正システム。
【請求項４】
前記少なくとも１つの力センサは、少なくとも１つの接触力センサ、少なくとも１つの可撓力センサ、またはそれらの任意の組合せを備え、前記少なくとも１つの光学画像センサは、少なくとも１つのマイクロビデオカメラ、少なくとも１つのマイクロスチルカメラ、またはそれらの任意の組合せを備える、請求項３に記載の歯列矯正システム。
【請求項５】
前記歯移動モニタは、前記歯移動センサ部材に問い合わせ、それに応じて、前記歯移動センサ部材により取得された前記歯移動データ、前記歯位置データ、および前記歯識別データの中の前記少なくとも１つを受信するためのコントローラを備え、前記コントローラは、前記歯移動データ、前記歯位置データ、および前記歯識別データの中の前記少なくとも１つから歯移動量および歯位置の少なくとも一方を計算する、請求項１に記載の歯列矯正システム。
【請求項６】
前記電子制御コンソールは、前記力印加部材によって前記少なくとも１つの歯に対して前記力を印加させる流体ポンプを備える、請求項１に記載の歯列矯正システム。
【請求項７】
前記電子制御コンソールは、前記流体ポンプの前記動作を選択的に制御するためのコントローラをさらに備える、請求項６に記載の歯列矯正システム。
【請求項８】
前記電子制御コンソールは、前記流体ポンプの前記動作を選択的に制御することにおいて、前記コントローラを支援するための少なくとも１つの流体センサおよび弁をさらに備える、請求項７に記載の歯列矯正システム。
【請求項９】
前記電子制御コンソールは、プログラミング可能である、請求項８に記載の歯列矯正システム。
【請求項１０】
前記電子制御コンソールおよび前記歯移動モニタは、それぞれ通信インターフェースを備え、前記通信インターフェースは、前記電子制御コンソールと前記歯移動モニタとの間における前記データ通信を可能にしている、請求項１に記載の歯列矯正システム。
【請求項１１】
前記電子制御コンソールの前記通信インターフェースは、前記患者により操作される通信デバイスとのデータ通信を可能にし、それにより前記歯移動量および前記歯位置の前記少なくとも一方が、リアルタイムであるか格納されたものであるかに関わらず、前記患者の前記通信デバイスにより遠隔地の歯科医または他のユーザの遠隔地に位置する通信デバイスへと通信されることが可能となる、請求項１０に記載の歯列矯正システム。
【請求項１２】
前記電子制御コンソールの前記通信インターフェースは、前記患者により操作される前記通信デバイスを介して、前記歯科医または他のユーザにより操作される前記遠隔地に位置する通信デバイスからのプログラム命令を受信することを可能にし、前記プログラム命令は、前記制御コンソールの前記コントローラをプログラミングするものである、請求項１１に記載の歯列矯正システム。
【請求項１３】
前記電子制御コンソールの前記通信インターフェースは、歯科医または他のユーザにより操作される遠隔地に位置する通信デバイスからのプログラム命令の受信を可能にし、前記プログラム命令は、前記制御コンソールの前記コントローラをプログラミングするものである、請求項１０に記載の歯列矯正システム。
【請求項１４】
前記電子制御コンソールおよび前記歯移動モニタの前記通信インターフェースは、歯科医または他のユーザが、前記歯科医により操作される通信デバイスおよび前記患者により操作される通信デバイスを介して前記制御コンソールおよび前記歯移動モニタに遠隔的にアクセスし、それにより前記歯移動量および前記歯位置の前記少なくとも一方のリアルタイム測定を開始するか、または前記制御コンソールに格納された前記歯移動量および前記歯位置の前記少なくとも一方を取得することが可能である、請求項１０に記載の歯列矯正システム。
【請求項１５】
前記歯列矯正装置は、第１の歯列矯正装置および第２の歯列矯正装置を備え、前記第１の歯列矯正装置および前記第２の歯列矯正装置の一方が、前記患者の前記上顎の前記歯のセットの中の少なくとも１つの歯を移動および整列させるためのものであり、前記第１の歯列矯正装置および前記第２の歯列矯正装置の他方が、前記患者の前記下顎の前記歯のセットの中の少なくとも１つの歯を移動および整列させるためのものである、請求項１に記載の歯列矯正システム。
【請求項１６】
患者の上顎および下顎の少なくとも一方の歯のセットの中の少なくとも１つの歯を移動および整列させるための歯列矯正装置であって、
前記少なくとも１つの歯を受けるためのチャネルを備えたマウスピースであって、前記チャネルが少なくとも１つの壁部を備えた、マウスピースと、
前記少なくとも１つの歯に対して力を印加し且つ前記少なくとも１つの歯を移動させるための力印加部材であって、前記マウスピースの前記チャネルの少なくとも１つの壁部内に取り付けられ、または部分的に埋設された力印加部材と、
前記マウスピースの前記チャネルの少なくとも１つの壁部内に取り付けられ、または部分的に埋設された歯移動センサ部材であって、歯移動データ、歯位置データ、および歯識別データの中の少なくとも１つを取得するための歯移動センサ部材と、
前記歯移動センサ部材を用いて取得した前記歯移動データ、前記歯位置データ、および前記歯識別データの中の前記少なくとも１つから歯移動量および歯位置の少なくとも一方を計算するための歯移動モニタと、
を備える、歯列矯正装置。
【請求項１７】
前記力印加部材は、少なくとも１つの膨張可能要素を備える、請求項１６に記載の歯列矯正装置。
【請求項１８】
前記歯移動センサは、少なくとも１つの力センサ、少なくとも１つの光学画像センサ、またはそれらの任意の組合せを備える、請求項１６に記載の歯列矯正装置。
【請求項１９】
前記少なくとも１つの力センサは、少なくとも１つの接触力センサ、少なくとも１つの可撓力センサ、またはそれらの任意の組合せを備え、前記少なくとも１つの光学画像センサは、少なくとも１つのマイクロビデオカメラ、少なくとも１つのマイクロスチルカメラ、またはそれらの任意の組合せを備える、請求項１８に記載の歯列矯正装置。
【請求項２０】
前記歯移動モニタは、前記歯移動センサ部材に問い合わせ、それに応じて、前記歯移動センサ部材により取得された前記歯移動データ、前記歯位置データ、および前記歯識別データの中の前記少なくとも１つを受信するためのコントローラを備え、前記コントローラは、前記歯移動データ、前記歯位置データ、および前記歯識別データの中の前記少なくとも１つから歯移動量および歯位置の前記少なくとも一方を計算する、請求項１６に記載の歯列矯正装置。
【請求項２１】
患者の上顎および下顎の少なくとも一方の歯のセットの中の少なくとも１つの歯を移動および整列させるための方法であって、
力印加部材を用いて前記少なくとも１つの歯に対して力を印加し且つ前記少なくとも１つの歯を移動させるステップであって、前記力印加部材は、前記患者の上顎および下顎の前記少なくとも一方の歯のセットに適用されるマウスピースのチャネルの少なくとも１つの壁部内に取り付けられ、または部分的に埋設されており、前記チャネルが、前記少なくとも１つの歯を受ける、ステップと、
歯移動センサ部材を用いて歯移動データ、歯位置データ、および歯識別データの中の少なくとも１つを取得するステップであって、前記歯移動センサ部材は、前記患者の上顎および下顎の前記少なくとも一方の歯のセットに適用される前記マウスピースの少なくとも１つの壁部内に取り付けられ、または部分的に埋設されている、ステップと、
前記歯移動センサ部材を用いて取得した前記歯移動データ、前記歯位置データ、および前記歯識別データの中の前記少なくとも１つから歯移動量および歯位置の少なくとも一方を計算するステップと、
歯移動モニタから受信した前記歯移動データ、前記歯位置データ、および前記歯識別データの中の前記少なくとも１つに基づき電子制御コンソールを用いて前記力印加部材の動作を制御するステップと、
を含む、方法。
【請求項２２】
前記取得するステップは、コントローラを用いて前記歯移動センサ部材に問い合わせ、それに応じて、前記歯移動センサ部材により取得された歯移動データ、歯位置データ、および歯識別データの中の前記少なくとも１つを受信するステップを含み、前記コントローラは、前記歯移動データ、前記歯位置データ、および前記歯識別データの中の前記少なくとも１つから歯移動量および歯位置の少なくとも一方を計算する、請求項２１に記載の方法。
【請求項２３】
前記電子制御コンソールの通信インターフェースを用いて、前記患者の通信デバイスに前記歯移動量および前記歯位置の少なくとも一方を送信するステップをさらに含む、請求項２１に記載の方法。
【請求項２４】
前記患者の前記通信デバイスを用いて、遠隔地の歯科医または他のユーザの遠隔地に位置する通信デバイスに前記歯移動量および前記歯位置の前記受信した少なくとも一方を送信するステップをさらに含む、請求項２３に記載の方法。
【請求項２５】
前記送信するステップは、リアルタイムで実施される、請求項２３に記載の方法。
【請求項２６】
前記通信インターフェースを用いて、前記歯科医または前記他のユーザにより操作される前記遠隔地に位置する通信デバイスからのプログラム命令を受信するステップをさらに含み、前記プログラム命令は、前記制御コンソールの前記コントローラをプログラミングするものである、請求項２３に記載の方法。
【請求項２７】
前記通信インターフェースを介して、歯科医または他のユーザにより操作される遠隔地に位置する通信デバイスからの前記歯移動量および前記歯位置の前記少なくとも一方の測定を開始するステップか、または前記コントローラに格納された前記歯移動量および前記歯位置の少なくとも一方を取得するステップをさらに含む、請求項２３に記載の方法。